(57)【要約】【課題】２つの筐体を重ねたままの状態であっても迅速に一定の操作を行なうことができる携帯端末装置を提供する。【解決手段】重ね合わせ可能に連結される２つの筐体６，１２と、２つの筐体６，１２が重ね合わされた状態のときに筐体６，１２に所定値以上の押圧力が作用したことを検出する検出部３２と、所定の機能の動作中に検出部３２が押圧力を検出した場合に、所定の機能の動作を停止させるように制御する制御部６４とを備えた。【効果】２つの筐体のうちの一方の筐体を他方の筐体に所定の荷重で押付けるだけで一定の操作を迅速に行なうことができる。【選択図】      図１
2005051401.tif 000002
【特許請求の範囲】
【請求項１】
重ね合わせ可能に連結される２つの筐体と、
前記２つの筐体が重ね合わされた状態のときに筐体に所定値以上の押圧力が作用したことを検出する検出部と、
所定の機能の動作中に前記検出部が前記押圧力を検出した場合に、前記所定の機能の動作を停止させるように制御する制御部と
を備えたことを特徴とする携帯端末装置。
【請求項２】
重ね合わせ可能に連結される２つの筐体と、
前記２つの筐体が重ね合わされた状態のときに筐体に所定値以上の押圧力が作用したことを検出する検出部と、
前記検出部が前記押圧力を検出している継続時間を計測する計測部と、
所定の機能の動作中に前記検出部が前記押圧力を検出した場合に、前記計測部により計測した継続時間が所定時間未満であるときには前記所定の機能の動作を一時停止させ、前記計測部が計測した継続時間が所定時間以上であるときには前記所定の機能の動作を停止させるように制御する制御部と
を備えたことを特徴とする携帯端末装置。
【請求項３】
前記所定の機能が、音楽再生機能、着信報知機能又はアラーム報知機能のいずれか一つであることを特徴とする請求項１又は請求項２に記載の携帯端末装置。
【発明の詳細な説明】
【０００１】
【発明の属する技術分野】
本発明は、折り畳み型携帯電話機や水平回転式の携帯電話機のように２つの筐体が重ね合わせ可能に連結される携帯端末装置に関し、２つの筐体を重ねた状態であっても一定の操作を行なうことができる携帯端末装置に関するものである。
【０００２】
【従来の技術】
従来、携帯性を向上させるために折り畳み構造を有する携帯端末装置として、例えば図７に示すような折り畳み型携帯電話機２があった。この折り畳み型携帯電話機２は、ＬＣＤ（液晶ディスプレイ）等の表示部４を備える第１筐体６と、テンキー等の操作部８を操作面１０に備える第２筐体１２が、ヒンジ構造の連結部１４を介して折り畳み自在に連結されるようになっている。
【０００３】
この折り畳み型携帯電話機２は、第１筐体６と第２筐体１２を折り畳んで重ねた状態にしたときには、第２筐体１２の操作部８が第１筐体６に覆い隠されて操作することができない。したがって、どのような簡単な操作内容であっても、第１筐体６と第２筐体１２を開いて操作部８を露出させてからでなければ操作を行なうことができないため、煩わしく感じることがあった。
【０００４】
例えば、指定した所定時刻にアラーム音を発するアラーム機能が動作して所定時刻になったことを知った後には、アラーム音を停止させるためのキー操作を１回又は数回行なうだけで済むが、それだけのために第１筐体６と第２筐体１２をいちいち開いて操作部８を露出させなければならない。
【０００５】
また、音楽データの再生中にその音楽を停止させたい場合や、通話を着信したが対応することができない状況のときに着信の報知音を直ちに停止させたいような場合にも、キー操作は１回又は数回行なうだけで済むが、それだけのために第１筐体６と第２筐体１２をいちいち開いて操作部８を露出させなければならないので、煩わしく感じることが多かった。
【０００６】
そのため、図示しないが、このような折り畳み型携帯電話機２と同様の構造を有する折り畳み型携帯端末装置に対して、操作部が設けられた筐体の操作面以外の側面に補助キーを設けることにより、２つの筐体を折り畳んで重ねた状態であっても一定の操作を行なうことができるようにしたものがあった（例えば、特許文献１参照）。
【０００７】
【特許文献１】
特開２００１−２７４８８０号公報
【０００８】
【発明が解決しようとする課題】
ところで、一般的にアラーム音、音楽の再生及び着信の報知音等を停止させなければならないような状況では、その停止の操作を迅速に行なわなければ周囲の人達に迷惑となってしまうようなことも多い。そのため、前記特許文献１のような携帯端末装置によれば、アラーム音、音楽の再生及び着信の報知音等を停止させるための一定の操作を筐体の側面の補助キーにより行なうのであるが、補助キーの位置を認識してからでなければ操作することができないため、操作の迅速性の面において満足のいくものではなかった。
【０００９】
【発明の目的】
そこで本発明は、上記問題点に鑑みて、２つの筐体を重ねたままの状態であっても迅速に一定の操作を行なうことができる携帯端末装置を提供することを課題とするものである。
【００１０】
【課題を解決するための手段】
上記課題を解決するために、請求項１に係る発明の携帯端末装置は、
重ね合わせ可能に連結される２つの筐体と、
前記２つの筐体が重ね合わされた状態のときに筐体に所定値以上の押圧力が作用したことを検出する検出部と、
所定の機能の動作中に前記検出部が前記押圧力を検出した場合に、前記所定の機能の動作を停止させるように制御する制御部とを備えたことを特徴とするものである。
【００１１】
請求項２に係る発明の携帯端末装置は、
重ね合わせ可能に連結される２つの筐体と、
前記２つの筐体が重ね合わされた状態のときに筐体に所定値以上の押圧力が作用したことを検出する検出部と、
前記検出部が前記押圧力を検出している継続時間を計測する計測部と、
所定の機能の動作中に前記検出部が前記押圧力を検出した場合に、前記計測部により計測した継続時間が所定時間未満であるときには前記所定の機能の動作を一時停止させ、前記計測部が計測した継続時間が所定時間以上であるときには前記所定の機能の動作を停止させるように制御する制御部とを備えたことを特徴とするものである。
【００１２】
請求項３に係る発明は、請求項１又は請求項２に記載の携帯端末装置において、前記所定の機能が、音楽再生機能、着信報知機能又はアラーム報知機能のいずれか一つであることを特徴とするものである。
【００１３】
【発明の実施の形態】
以下、本発明に係る携帯端末装置の実施の形態について、図面に基づいて具体的に説明する。
【００１４】
図１ないし図３は、本発明の第１の実施の形態に係る折り畳み型携帯電話機３０（携帯端末装置に相当）について説明するために参照する図である。これらの図に示す折り畳み型携帯電話機３０は、従来の折り畳み型携帯電話機２と同様の部分には同じ符号を付して説明し、従来と同様の構成についての重複する説明は省略するものとする。
【００１５】
また、この折り畳み型携帯電話機３０は、従来の一般的な携帯電話機と同様に、指定した時間にアラーム音を鳴らすことができるアラーム報知機能、音楽再生機能及び着信報知機能を備えるものである。
【００１６】
図１に示すように、本実施の形態に係る折り畳み型携帯電話機３０は、従来の折り畳み型携帯電話機２とほぼ同様の構成になっているが、第２筐体１０の操作面１０において、連結部１４と反対側の端部に検出部３２が設けられるようになっている。
【００１７】
図２に示すように、この検出部３２は、操作面１０に形成された凹部３４から突出する軸部材３６の一方の端部３８にゴム材質等の頭部４０が固定され、この軸部材３６は凹部３４の内部を操作面１０に対して直交する方向に摺動するようになっている。
【００１８】
軸部材３６における一方の端部３８とは反対側の他方の端部４２は、凹部３４の底面４４に載置されたバネ部材４６に付勢されるようになっているが、他方の端部４２はその直径が凹部３４の開口部４８の直径よりも大きくなっていることにより、端部４２が開口部４８の内側に引っ掛かって軸部材３６が外側に飛び出さないようになっている。
【００１９】
また、凹部３４の底面４４の中央の位置にはスイッチ５０が設けられており、軸部材３６の他方の端部４２側の端面５２上に突出して形成される突起部５４の先端が当接したときに、電気的に導通して接触（当接）したことを検出するようになっている。
【００２０】
折り畳み型携帯電話機３０は、第１筐体６を折り畳んで第２筐体１２に重ねた状態のとき、図２中の二点鎖線で示すように、第１筐体６と第２筐体１２との間に若干のすきまを有するようになっている。すなわち、検出部３２の頭部４０が第１筐体６と当接すると共に、検出部３２のバネ部材４６によって第１筐体６を支持するようになっている。なお、このとき、検出部３２の突起部５４はスイッチ５０と接触せず、検出部３２による検出動作は行なわれない。
【００２１】
そして、重ね合わせた第１筐体６と第２筐体１２の厚さ方向にユーザーが所定値以上の押圧力を加えると、バネ部材４６を縮長して突起部５４をスイッチ５０に当接させることができるようになっている。
【００２２】
図３は、この折り畳み型携帯電話機３０の回路構成を示すブロック図である。折り畳み型携帯電話機３０は、無線部５６、検出部３２、計測部５８、表示部４、操作部８、スピーカー６０及びマイクロホン６２を備えており、これらは制御部６４の制御下で動作するようになっている。ここで、無線部５６、表示部４、操作部８、スピーカー６０及びマイクロホン６２については、従来の一般的な携帯電話機と同様に動作するものであるため、その説明は省略する。
【００２３】
検出部３２は、第１筐体６からの押圧力を受けて突起部５４がスイッチ５０に当接したことを検出している間は、その旨の信号を制御部６４及び計測部５８に出力し続けるようになっている。
【００２４】
計測部５８は検出部３２の検出動作が継続している時間を計測して、検出動作の継続時間が所定時間に達した場合にはその旨の信号を制御部６４に出力するようになっている。
【００２５】
制御部６４は、通話の着信を受けたとき、又は音楽再生機能により音楽を再生しているとき、或はアラーム報知機能によりアラーム音を鳴らしているときに、重ね合わせた第１筐体６と第２筐体１２の厚さ方向に所定値以上の押圧力を作用させた場合、以下に説明するような制御動作を行なうようになっている。
【００２６】
すなわち制御部６４は、通話の着信があったときにはスピーカー６０から着信の報知音を鳴らすようになっているが、着信の報知音を鳴らしている最中に、重ね合わせた第１筐体６と第２筐体１２の厚さ方向に所定値以上の押圧力を作用させる操作が所定時間以上の間行なわれることにより、検出部３２からの信号を受信すると共に、この信号の受信が終了する前に計測部５８から所定時間に達した旨の信号を受信した場合には、この呼の切断動作を行なうようになっている。
【００２７】
また、着信の報知音を鳴らしている最中に、重ね合わせた第１筐体６と第２筐体１２の厚さ方向に所定値以上の押圧力を作用させる操作が所定時間未満の間しか行なわれないことにより、検出部３２から信号を受信しただけで、この信号の受信が終了するまでに計測部５８から所定時間に達した旨の信号を受信しなかった場合には、この通話の接続を行なうと共に保留のメッセージを送信して、通話の相手先にしばらく待っていてもらう一時保留の動作を行なうようになっている。
【００２８】
また、制御部６４は、音楽再生機能により音楽を再生している最中に、重ね合わせた第１筐体６と第２筐体１２の厚さ方向に所定値以上の押圧力を作用させる操作が所定時間以上の間行なわれることにより、検出部３２からの信号を受信すると共に、この信号の受信が終了する前に計測部５８から所定時間に達した旨の信号を受信した場合には、再生している音楽を停止させるようになっている。
【００２９】
このように停止させた音楽は、曲目を選択するなどの操作を含めて、改めて再生開始のための一連の操作を行なわなければ再生することができず、再生を開始した場合にはそれぞれの曲の最初から再生されるようになっている。
【００３０】
また、音楽再生機能により音楽を再生している最中に、重ね合わせた第１筐体６と第２筐体１２の厚さ方向に所定値以上の押圧力を作用させる操作が所定時間未満の間しか行なわれないことにより、検出部３２から信号を受信しただけで、この信号の受信が終了するまでに計測部５８から所定時間に達した旨の信号を受信しなかった場合には、再生している音楽を一時停止させるようになっている。
【００３１】
そして、音楽の再生が一時停止されている状態のときに、再び検出部３２からの信号を受信すると、制御部６４は一時停止させていた音楽を停止させた位置から再生開始するようになっている。
【００３２】
また、アラーム報知機能によりアラーム音を鳴らしている最中に、重ね合わせた第１筐体６と第２筐体１２の厚さ方向に所定値以上の押圧力を作用させる操作が行なわれることにより、検出部３２からの信号を受信した場合には、この信号の受信が終了する前に計測部５８から所定時間に達した旨の信号を受信したか否かにかかわらず、アラーム音を停止させ、アラーム報知機能を終了させるようになっている。
【００３３】
また、折り畳み型携帯電話機３０は、スヌーズ機能を備えるようにして、この機能を上記アラーム報知機能に適用することができるようになっていてもよい。すなわち、制御部６４は、アラーム報知機能によりアラーム音を鳴らしている最中に、重ね合わせた第１筐体６と第２筐体１２の厚さ方向に所定値以上の押圧力を作用させる操作が所定時間以上の間行なわれることにより、検出部３２からの信号を受信すると共に、この信号の受信が終了する前に計測部５８から所定時間に達した旨の信号を受信した場合には、アラーム音を停止させ、アラーム報知機能を終了させるようにする。
【００３４】
一方、アラーム報知機能によりアラーム音を鳴らしている最中に、重ね合わせた第１筐体６と第２筐体１２の厚さ方向に所定値以上の押圧力を作用させる操作が所定時間未満の間しか行なわれないことにより、検出部３２から信号を受信しただけで、この信号の受信が終了するまでに計測部５８から所定時間に達した旨の信号を受信しなかった場合には、アラーム音を一時停止させて所定時間後に再びアラーム音を鳴らすようにする。
【００３５】
したがって、ユーザーは、この折り畳み型携帯電話機３０が折り畳まれた状態のときに、通話の着信に応答することができないような場合には、第１筐体６を第２筐体１２に所定値以上の荷重で押付ける操作を行なうことにより、第１筐体６と第２筐体１２の重ね合わせの方向に押圧力を作用させれば、着信の報知音を停止させると共に呼の切断又は一時保留の動作を行なわせることができる。
【００３６】
また、この折り畳み型携帯電話機３０を折り畳んだ状態にして、音楽再生機能を利用しているような場合に、直ちに停止させたいようなときにも、同様の操作を行なうことにより、再生している音楽を停止又は一時停止させることができる。
【００３７】
また、この折り畳み型携帯電話機３０が折り畳まれた状態のときに、アラーム音が鳴り出したような場合にも、同様の操作を行なうことにより直ちに停止させることができる。
【００３８】
また、上記アラーム報知機能にスヌーズ機能を適用した場合には、アラーム報知機能の停止又は一時停止の操作の両方を行なうことができるようになる。
【００３９】
以上のように、このような折り畳み型携帯電話機３０によれば、第１筐体６を第２筐体１２に所定値以上の荷重で押付けるだけで、通話の着信に対する切断又は一時保留、音楽再生の停止又は一時停止、或いはアラーム音の停止又は一時停止等といった一定の操作を迅速に行なうことができる。
【００４０】
また、第１筐体６を第２筐体１２に押付ける時間の長さにより、通話の着信に対する切断と一時保留の操作に使い分けたり、音楽再生の停止と一時停止の操作に使い分けたりすることができるので、利便性が高い。
【００４１】
次に、本発明に係る第２の実施の形態について説明する。本実施の形態に係る折り畳み型携帯電話機６５は、前記第１の実施の形態に係る折り畳み型携帯電話機３０と、検出部３２以外の部分が全く同じ構造になっている（図１及び図２参照）。そのため、本実施の形態に係る折り畳み型携帯電話機６５について、前記第１の実施の形態に係る折り畳み型携帯電話機３０と同様の部分には同じ符号を付して説明し、同様の構成や動作についての重複する説明は省略するものとする。
【００４２】
前記第１の実施の形態においては、図２に示すように検出部３２は、頭部４０が固定されている軸部材３６が第２筐体１２の凹部３４の内部から突出、没入するような構造になっているが、本実施の形態に係る折り畳み型携帯電話機６５においては、このような検出部３２に代えて、図４に示すような、弾性素材のラバー部材６６を用いた検出部６８を設けるようになっている。
【００４３】
図４に示すように、ラバー部材６６は、略球形状のラバー本体７０の一部が第２筐体１２の操作面１０の開口部７２から突出して、第２筐体１２の内側に収納される部分の一部に平面状の接点部７４が形成されるようになっている。そして、このラバー部材６６は、ラバー本体７０と一体形成される数本の脚部７６の先端の固定部７８が第２筐体１２内の基板８０上に固定され、接点部７４は基板８０上の対応する位置に設けられるスイッチ８２との間に若干のすきまを有するように配置されている。
【００４４】
折り畳み型携帯電話機６５は、前記第１の実施の形態に係る折り畳み型携帯電話機３０と同様に、第１筐体６を折り畳んで第２筐体１２に重ねた状態のとき、図４中の二点鎖線で示すように、第１筐体６と第２筐体１２との間に若干のすきまを有するようになっている。
【００４５】
すなわち、ラバー部材６６のラバー本体７０が第１筐体６に当接すると共に、脚部７６及び固定部７８の弾性力によって第１筐体６を支持するようになっている。なお、このとき、ラバー部材６６の接点部７４はスイッチ８２と接触せず、検出部６８による検出動作は行なわれない。
【００４６】
そして、重ね合わせた第１筐体６と第２筐体１２の厚さ方向にユーザーが所定値以上の押圧力を加えると、図５に示すように、第１筐体６により検出部６８のラバー本体７０が第２筐体１２内に押し込まれる。そのため、ラバー部材６６は脚部７６が撓むと共にラバー本体７０が変形して、接点部７４が基板８０側に押付けられることにより、基板８０上のスイッチ８２が電気的に導通するようになっている。
【００４７】
このような折り畳み型携帯電話機６５によれば、折り畳み型携帯電話機３０と同様に、第１筐体６を第２筐体１２に所定値以上の荷重で押付けるだけで、通話の着信に対する切断又は一時保留、音楽再生の停止又は一時停止、或いはアラーム音の停止又は一時停止等といった一定の操作を迅速に行なうことができる。
【００４８】
また、第１筐体６を第２筐体１２に所定値以上の荷重で押付ける時間の長さにより、通話の着信に対する切断と一時保留の操作に使い分けたり、音楽再生の停止と一時停止の操作に使い分けたりすることができるので、利便性が高い。
【００４９】
次に、図６に基づいて、本発明に係る第３の実施の形態に係る水平回転式携帯電話機９０（携帯端末装置に相当）について説明する。この図に示す水平回転式携帯電話機９０は、前記第１の実施の形態に係る折り畳み型携帯電話機３０と同様の部分には同じ符号を付して説明し、同様の構成や動作についての重複する説明は省略するものとする。
【００５０】
この水平回転式携帯電話機９０は、表示部４を備える第１筐体６と操作部８を備える第２筐体１２の互いの端部が、第２筐体１２の操作面１０に垂直な連結軸９２の回りに互いに回動可能に連結されるようになっている。
【００５１】
すなわちこの水平回転式携帯電話機９０は、第１筐体６と第２筐体１２を重ねた状態から、連結軸９２の回りに第１筐体６を第２筐体１２に対して１８０°回動させて開くことができ、また、このように開かずに互いに重ねた状態でも表示部４が外側に向いたままにしておくことができる。
【００５２】
したがって、ユーザーは第１筐体６と第２筐体１２をわざわざ開かずに重ねた状態にしたままでも表示部４に表示される画面を常に見ることができるが、操作部８に対する操作は行なうことはできないようになっている。
【００５３】
この水平回転式携帯電話機９０の第２筐体１２の操作面１０における連結軸９２と反対側の端部には、前記第１の実施の形態に係る折り畳み型携帯電話機３０と同様に、検出部３２（図２参照）が設けられるようになっている。
【００５４】
水平回転式携帯電話機９０は、図６に示すような第１筐体６と第２筐体１２を開いた状態であっても、また、このように開いた状態から第１筐体６を１８０°回動させて、第１筐体６と第２筐体１２を重ねた状態にした場合でも、第１筐体６と第２筐体１２の操作面１０との間には常に一定のすきまを有するようになっている。そのため、第１筐体６と第２筐体１２を重ねた状態にした場合でも、第１筐体６は検出部３２の頭部４０に当接せず検出部３２は動作しないようになっている。
【００５５】
そして、ユーザーが重ね合わせた第１筐体６と第２筐体１２の厚さ方向に所定値以上の荷重で押圧力を加えると、第１筐体６が第２筐体１２側に接近して検出部３２の頭部４０を押し込んで、その突起部５４がスイッチ５０に当接するので、検出部３２は第１筐体６と第２筐体１２の厚さ方向に所定値以上の荷重で押圧力が加えられたことを検出することができる。
【００５６】
このような水平回転式携帯電話機９０によれば、前記第１及び第２の実施の形態に係る折り畳み型携帯電話機３０，６５と同様に、第１筐体６を第２筐体１２に所定値以上の荷重で押付けるだけで、通話の着信に対する切断又は一時保留、音楽再生の停止又は一時停止、或いはアラーム音の停止又は一時停止といった一定の操作を迅速に行なうことができる。
【００５７】
また、第１筐体６を第２筐体１２に押付ける時間の長さにより、通話の着信に対する切断と一時保留の操作に使い分けたり、音楽再生の停止と一時停止の操作に使い分けたりすることができるので、利便性が高い。
【００５８】
なお、本実施の形態においては、第１筐体６と第２筐体１２の厚さ方向に所定値以上の押圧力が加わったことを、前記第１の実施の形態と同様に検出部３２を用いて検出するようになっているが、この検出部３２に代えて、前記第２の実施の形態と同様に、図４のような検出部６８を用いて検出するようになっていてもよい。
【００５９】
また、前記第１ないし第３の実施の形態においては、第１筐体６を第２筐体１２に押付けるような操作が行なわれた場合に、制御部６４は通話の着信に対する切断又は一時保留、音楽再生の停止又は一時停止、或いはアラーム音の停止又は一時停止を行なうようになっているが、制御部６４によって行なわれる制御動作はこれらに限定されるものではない。
【００６０】
また、前記第１ないし第３の実施の形態において、第１筐体６と第２筐体１２とを重ね合わせた状態で操作部８のキーが第１筐体６と擦り付けられて傷付くのを防ぐために両筐体６，１２の間にすきまを設ける必要があるが、検出部３２又は検出部６８により第１筐体６と第２筐体１２との間に若干のすきまを設けることができるため、すきまを設けるための突起等を別途備える必要がなく部品点数の削減が可能である。
【００６１】
また、前記第１ないし第３の実施の形態においては、本発明を折り畳み型携帯電話機３０，６５及び水平回転式携帯電話機９０に適用した場合について説明したが、ＰＤＡ（Ｐｅｒｓｏｎａｌ  Ｄｉｇｉｔａｌ  Ａｓｓｉｓｔａｎｔ）のような他の携帯端末装置にも、同様の技術的思想に基づいて本発明を適用することができることはいうまでもない。
【００６２】
【発明の効果】
以上説明したように、本発明の携帯端末装置によれば、２つの筐体を重ねたままの状態であっても迅速に一定の操作を行なうことができる。
【図面の簡単な説明】
【図１】本発明の第１の実施の形態に係る折り畳み型携帯電話機３０を示す斜視図である。
【図２】図１に示す検出部３２の拡大断面図である。
【図３】本発明の第１の実施の形態に係る折り畳み型携帯電話機３０の回路構成を示すブロック図である。
【図４】本発明の第２の実施の形態に係る折り畳み型携帯電話機６５における検出部６８の検出動作前の拡大断面図である。
【図５】本発明の第２の実施の形態に係る折り畳み型携帯電話機６５における検出部６８の検出動作時の拡大断面図である。
【図６】本発明の第３の実施の形態に係る水平回転式携帯電話機９０を示す斜視図である。
【図７】従来の折り畳み型携帯電話機２を示す斜視図である。
【符号の説明】
２  折り畳み型携帯電話機
４  表示部
６  第１筐体
８  操作部
１０  操作面
１２  第２筐体
１４  連結部
３０  折り畳み型携帯電話機
３２  検出部
３４  凹部
３６  軸部材
３８  端部
４０  頭部
４２  端部
４４  底面
４６  バネ部材
４８  開口部
５０  スイッチ
５２  端面
５４  突起部
５６  無線部
５８  計測部
６０  スピーカー
６２  マイクロホン
６４  制御部
６６  ラバー部材
６８  検出部
７０  ラバー本体
７２  開口部
７４  接点部
７６  脚部
７８  固定部
８０  基板
８２  スイッチ
９０  水平回転式携帯電話機
９２  連結部
【図１】
2005051401.tif 000003
【図２】
2005051401.tif 000004
【図３】
2005051401.tif 000005
【図４】
2005051401.tif 000006
【図５】
2005051401.tif 000007
【図６】
2005051401.tif 000008
【図７】
2005051401.tif 000009